(57)【要約】【課題】内部の蒸れを抑えて、より快適な使用感が得られる医療介護用手袋を提供する。【解決手段】手袋本体２の手の甲側に手挿入部２ａと外部とを連通する通気窓５を設け、通気窓５の開口面積よりも大きな面積の通気性シート６で通気窓５を塞いで通気性シート６の一部に襠６１を設ける。【選択図】図３
2010150726.tif 000002
【特許請求の範囲】
【請求項１】
手首から先の部分が開口部から挿入される手挿入部と、仕切壁を挟んで上記手挿入部の掌側に配置され、内部に衝撃吸収材が収納されるクッション部とを備えた手袋本体と、上記開口部を上記手首に締め付けて固定するリストバンドとを備え、上記リストバンドにて上記手袋本体が上記手首から外れないようにした医療介護用手袋において、
上記手挿入部の手の甲の外布側には、上記手挿入部と外部とを連通する通気窓と、上記通気窓を覆う通気性シートとが設けられており、上記通気性シートは、上記通気窓の開口面積よりも大きな面積を備えることを特徴とする医療介護用手袋。
【請求項２】
上記通気窓は、上記手首から手の甲の間に設けられていることを特徴とする請求項１に記載の医療介護用手袋。
【請求項３】
上記通気性シートの周縁は、上記通気窓の周縁に沿って縫着されており、上記通気性シートの一部が折り返されて襠を形成していることを特徴とする請求項１または２に記載の医療介護用手袋。
【請求項４】
上記通気性シートは、幅方向の長さが上記通気窓の開口幅と同幅であり、指先方向の長さが、上記通気窓の開口長さよりも長く形成されていることを特徴とする請求項３に記載の医療介護用手袋。
【請求項５】
上記通気性シートは、所定の網目状のメッシュシートが用いられていることを特徴とする請求項１ないし４のいずれか１項に記載の医療介護用手袋。
【請求項６】
上記リストバンドの一部を上下から挟むようにして覆い隠す上フラップおよび下フラップと、上記各フラップを互いに係止する少なくとも一対のフックボタンとを有し、上記上フラップには、少なくとも２つの上フックボタンが設けられ、上記下フラップには上記上フックボタンに係止される少なくとも２つの下フックボタンが設けられており、上記上フックボタンの配置間隔が上記下フックボタンの配置間隔よりも大きいことを特徴とする請求項１ないし５のいずれか１項に記載の医療介護用手袋。
【発明の詳細な説明】
【技術分野】
【０００１】
本発明は、患者の手全体の動きを拘束するための医療介護用手袋に関し、さらに詳しく言えば、手挿入部内のムレを防止して、快適な使用感が得られる医療介護用手袋に関する。
【背景技術】
【０００２】
認知症患者や手術直後の意識レベルの低い状態にある患者には、バイタル計測用のケーブルや各種点滴チューブなどが体に装着されるが、患者は、これらケーブル類を不快で煩わしいため、寝ているときなどに無意識に取り外そうとしたり、外そうとしてパニックに陥り暴れたりすることもある。
【０００３】
このような取り外し行為を防止するために、医療分野においては種々の拘束用具が提案されている。その拘束用具の１つとして、医療介護用手袋がある。例えば特許文献１に示すように、医療介護用手袋は、ミトン状の手袋本体の中に患者の手を入れ、開口部を手首とともに締め付けることにより、患者の手の動きを規制するようにしたものである。
【０００４】
また、特許文献１に記載の医療介護用手袋は、掌側にクッション材が配置されているため、指先の「摘む」動作を拘束するばかりでなく、暴れたときに周囲の人や患者自身が怪我をしないように工夫されている。
【０００５】
しかしながら、従来の医療介護用手袋には、次のような問題があった。すなわち、この医療介護用手袋は、主に強度を維持するため、内生地に晒生地や化繊の混合布などを使用しているため、内部が蒸れやすく、これも患者への不快感を煽る原因の１つとなっていた。
【０００６】
【特許文献１】特開２００６−５２４９２号公報
【発明の開示】
【発明が解決しようとする課題】
【０００７】
そこで、本発明は上述した課題を解決するため、手袋内部の蒸れを抑えて、より快適な使用感が得られる医療介護用手袋を提供することにある。
【課題を解決するための手段】
【０００８】
上述した目的を達成するため、本発明は以下に示すいくつかの特徴を備えている。請求項１に記載の発明は、手首から先の部分が開口部から挿入される手挿入部と、仕切壁を挟んで上記手挿入部の掌側に配置され、内部に衝撃吸収材が収納されるクッション部とを備えた手袋本体と、上記開口部を上記手首に締め付けて固定するリストバンドとを備え、上記リストバンドにて上記手袋本体が上記手首から外れないようにした医療介護用手袋において、上記手挿入部の手の甲の外布側には、上記手挿入部と外部とを連通する通気窓と、上記通気窓を覆う通気性シートとが設けられており、上記通気性シートは、上記通気窓の開口面積よりも大きな面積を備えることを特徴としている。
【０００９】
請求項２に記載の発明は、上記請求項１において、上記通気窓は、上記手首から手の甲の間に設けられていることを特徴としている。
【００１０】
請求項３に記載の発明は、上記請求項１または２において、上記通気性シートの周縁は、上記通気窓の周縁に沿って縫着されており、上記通気性シートの一部が折り返されて襠を形成していることを特徴としている。
【００１１】
請求項４に記載の発明は、上記請求項３において、上記通気性シートは、幅方向の長さが上記通気窓の開口幅と同幅であり、指先方向の長さが、上記通気窓の開口長さよりも長く形成されていることを特徴としている。
【００１２】
請求項５に記載の発明は、上記請求項１ないし４のいずれか１項において、上記通気性シートは、所定の網目状のメッシュシートが用いられていることを特徴としている。
【００１３】
請求項６に記載の発明は、上記請求項１ないし５のいずれか１項において、上記リストバンドの一部を上下から挟むようにして覆い隠す上フラップおよび下フラップと、上記各フラップを互いに係止する少なくとも一対のフックボタンとを有し、上記上フラップには、少なくとも２つの上フックボタンが設けられ、上記下フラップには上記上フックボタンに係止される少なくとも２つの下フックボタンが設けられており、上記上フックボタンの配置間隔が上記下フックボタンの配置間隔よりも大きいことを特徴としている。
【発明の効果】
【００１４】
本発明によれば、手挿入部の掌側に手挿入部と外部とを連通する通気窓と、通気窓を覆う通気性シートとを設け、通気性シートの面積を通気窓の開口面積よりも大きくして襠を設けたことにより、手袋に入れられた手や手首を屈曲すると、通気性シートの襠が延びたり縮んだりすることで、通気性シートが立体的に膨らみ、より高い通気性を確保でき、より快適な使用感が得られる。
【発明を実施するための最良の形態】
【００１５】
次に、本発明の実施形態について図面を参照しながら説明するが、本発明はこの限りではない。図１は、本発明の一実施形態に係る医療介護用手袋の正面図（手の甲側）であり、図２は、上記医療介護用手袋の背面図（掌側）であり、図３（ａ）は、医療介護用手袋の使用状態を示す中央断面図であり、図３（ｂ）は手首を屈曲した状態の中央断面図である。図４は、フックボタンの配置間隔を説明する模式図である。
【００１６】
図１〜図３に示すように、この医療介護用手袋１は、手首から指先にかけてを覆い隠すに十分な収容空間を備えた手袋本体２と、同手袋本体２から手Ｈの出し入れを規制するリストバンド３とを備えている。この例において、手袋本体２は、縦３１ｃｍ×横１８ｃｍのＭサイズである。
【００１７】
手袋本体２は、綿製の外布２１を有し、全体がミトン状に形成されている。この例において、外布２１は、衛生上、抗菌防臭加工が施されていることが好ましく、防汚性、撥水性加工が施されている布材がより好ましい。さらには、患者の引っ掻き行為や切開行為などによって破れにくい強靱な素材（例えばポリアミド繊維など）が含まれていてもよい。
【００１８】
なお、外布２１の内側には、図示しない内布が一体的に張り合わされている。内布は手に直接触れるため、低刺激であり、吸水・拡散作用によって通気性がよく、汚れを落としやすい材質の布材が用いられる。本発明において、外布および内布の材質などの仕様は、特に限定されない。
【００１９】
手袋本体２の内部は、仕切壁２２を挟んで、手Ｈが収納される手挿入部２ａと、手挿入部２ａの掌側に配置されるクッション部２ｂとに区画されている。手挿入部２ａは、内部に手Ｈが収納可能な空間で、指などによって掴んだりするものが無いようミトン状に形成されている。
【００２０】
仕切壁２２は、主に強度を維持するとともに、指で掴んだりしにくいように滑りやすい晒生地の合わせ地からなる。仕切壁の具体的な材質なども本発明においては、任意的事項であり、仕様に応じて任意に変更されてよい。
【００２１】
クッション部２ｂは、内部に板状のクッション材４が収納される扁平空間であり、手挿入部２ａとほぼ同じ面積を備えている。クッション材（保護パッド）４は、ある程度の弾性を持ち、折れ曲がりにくい発泡ポリエチレン製のパッドが用いられている。
【００２２】
これ以外に、硬質発泡ウレタンや低反発発泡ウレタン、クッション性を有する繊維体などであってもよい。さらには、これらを組み合わせてもよいし、内部に保形用の芯材などを入れてもよい。また、クッション材４に変えて硬縮予防用のクッションなどを入れてもよい。
【００２３】
クッション材４は、手袋本体２から取り出し可能となれていることが好ましい。これにより、定期的にクッション材４を取り出して洗濯することができ、清潔に保つことができる。
【００２４】
図１を併せて参照して、手袋本体２の手の甲側には、手挿入部２ａと外部とを連通する通気窓５と、この通気窓５を覆う通気性シート６とが設けられている。通気窓５は、手袋本体２の手首から手の甲にかけての一部が切り抜かれた切り抜き孔からなり、手袋本体２の幅方向（図１では左右方向）に沿って横長に開口されている。この例において、通気窓５は、縦２７ｍｍ×横１６０ｍｍの大きさに開口されている。
【００２５】
通気性シート６は、１〜３ｍｍの網目シート状の布地が用いられている。通気性シート６は、抗菌処理が施されているが、さらに表面に樹脂コーティングして、撓んだり歪んだりしにくくするための保形処理を施してもよい。この例において、通気性シートは、縦３７ｍｍ×横１６０ｍｍの大きさであり、１０ｍｍの襠が形成されるようになっているが、襠の大きさは仕様に応じて任意に設計されてよい。
【００２６】
通気性シート６は、その面積が上述した通気窓５の開口面積よりも大きく設計されている。図１（ａ）に示すように、通気シート６は、その周縁が通気窓５の周縁に沿って逢着されており、通気シート６の一部が撓んで折り返された襠６１が形成される。
【００２７】
すなわち、通気性シート６は、幅方向（図１では左右方向）の長さが開口窓５の開口幅とほぼ同幅であり、指先方向（図１では上下方向）の長さが開口窓の開口長さよりも長く形成されていることが好ましい。
【００２８】
これによれば、通常使用時（図１（ａ）の状態）には、襠６１によって手袋本体２と手の甲との間に若干の空間が形成させるため蒸れにくく、かつ、空気を効率的に通気窓５から逃がすことができる。
【００２９】
さらに、図１（ｂ）に示すように、手首や指を折り曲げたりしたときは、折り畳まれている襠６１が伸張することにより、通気窓５が立体的に膨らみ、より通気性をよくすることができ、患者への不快感を低減することができる。
【００３０】
なお、通気窓５は、患者の手の状態などを目で確認する視認窓として使用してもよく、その場合、通気性シート６は内部が視認しやすいようにメッシュの粗いシートを用いることが好ましい。
【００３１】
リストバンド３は、一端が手袋本体２の開口部側に縫着され、他端が開口された筒状のリストバンド本体３１と、リストバンド本体３１に沿って巻回される締付ベルト３２と、締付ベルト３２を覆い隠すフラップ３３とを備えている。
【００３２】
リストバンド本体３１は、肌に対する負担を考慮して適度なクッション性を備えていることが好ましく、手首に対して適度な加圧感があり、手首に沿ってフィットしやすいように伸縮性を備えたものがより好ましい。さらには、リストバンド本体３１と手首との間に、クッションなどを配置して、より手首に対する負荷を低減するようにしてもよい。
【００３３】
締付ベルト３２は、非伸縮性の帯状テープからなり、一端３ａがリストバンド本体３１に縫着され、他端（自由端）がリストバンド本体３１に縫い付けられたＤカン３４を通して折り返された状態で互いに重なり合うように巻き付けられるようになっている。
【００３４】
締付ベルト３２の両面には、ループ面ファスナ３２１とフック面ファスナ３２２とが設けられている。これによれば、Ｄカン３４を介して折り返された面同士のループ面ファスナ３２１とフック面ファスナ３２２とが係止することにより、締付ベルト３２がリストバンド本体３１に巻回された状態で固定される。
【００３５】
図３（ａ）に示すように、フラップ３３は、締付ベルト３２を挟んで左右対称な矩形状の上フラップ３３１と下フラップ３３２とを備え、それらが締付ベルト３２を挟み込むように配置されている。下フラップ３３２は、リストバンド本体３１に一体的に逢着されている。
【００３６】
上フラップ３３１および下フラップ３３２には、それらを互いに折り重ねた状態で固定するためのフックボタン３４，３４が設けられている。フックボタン３４，３４は、上フラップ３３１に取り付けられる２個の上フックボタン３４１と、下フラップ３３２に取り付けられる２個の下フックボタン３４２とを備えている。
【００３７】
図４（ａ）に示すように、上フックボタン３４１，３４１は、その配置間隔Ｌ１が下フックボタン３４２，３４２の配置間隔Ｌ２よりも大きくなるように形成されている。この例において、上フックボタン３４１，３４１の配置間隔Ｌ１は６０ｍｍであり、下フックボタン３４２，３４２の配置間隔Ｌ２は５５ｍｍである。
【００３８】
これによれば、図４（ｂ）に示すように、リフトバンド本体３１に手首を挿通した場合、手首に沿って上フラップ３３１と下フラップ３３２とがそれぞれ湾曲し、上フラップ３３１の半径が大きく、下フラップ３３２の半径が小さくなる。したがって、使用状態において、各フックボタン３４１，３４２同士が互いに対向するようになるため、上下フラップ３３１，３３２をストレスなく折り重ねた状態で係止することができる。
【００３９】
上フックボタン３４１および下フックボタン３４２は、互いに係着させることにより、係着状態を固定することができ、上フックボタン３４１の中央に設けられた図示しない凸部を押圧することによってのみ、その係着状態が解除されるワンタッチ式のフックボタンである。上フックボタン３４１および下フックボタン３４２は少なくとも２つ設けられていればよく、設置間隔が上述した特徴を備えていれば、その設置数は使用に応じて任意に選択されてよい。
【００４０】
この例において、上フラップ３３１および下フラップ３３２はフックボタン３４を介して互いに固定されるようになっているが、上フラップ３３１および下フラップ３３２が締付ベルト３２に折り重なるようにした状態で固定可能なものであれば、その仕様は特に限定されない。
【００４１】
この例において、医療介護用手袋１は、内部が仕切壁２２を挟んで２つに区画されているが、手の甲側に通気窓５と通気性シート６とを設けた構成であれば、医療介護用手袋１の構成は任意であってよい。
【図面の簡単な説明】
【００４２】
【図１】本発明の一実施形態に係る医療介護用手袋の正面図（手の甲側）。
【図２】上記医療介護用手袋の背面図（掌側）。
【図３】（ａ）医療介護用手袋の使用状態を示す中央断面図、（ｂ）手首を屈曲した状態の中央断面図。
【図４】（ａ）フックボタンの配置間隔を説明する模式図、（ｂ）使用状態におけるフックボタンの配置を示す模式図。
【符号の説明】
【００４３】
１  医療介護用手袋
２  手袋本体
２ａ  手挿入部
２ｂ  クッション部
２１  外布
２２  仕切壁
３  リストバンド
４  クッション材
５  通気窓
６  通気性シート
Ｈ  手
【図１】
2010150726.tif 000003
【図２】
2010150726.tif 000004
【図３】
2010150726.tif 000005
【図４】
2010150726.tif 000006